(57)【要約】      （修正有）【課題】テーブル最上面に対して傾斜した切断が可能となるマイタ鋸用マイタアセンブリを提供する。【解決手段】マイタ鋸は、ベースアセンブリ１０、ベースアセンブリに回転可能に配置される回転可能なテーブル、及びテーブルによって回転可能に支持される鋸部アセンブリ２０を有する。マイタ鋸はまた、ベースアセンブリに対してテーブルの鋸部の回転位置を固定するためのマイタロックアセンブリも有する。【選択図】図１
2006312317.tif 000002
【特許請求の範囲】
【請求項１】
マイタ鋸であって、
ベースアセンブリと、
前記ベースアセンブリに回転可能に配置される回転可能なテーブルと、
前記テーブルによって回転可能に支持される鋸部アセンブリと
前記ベースアセンブリに対して前記テーブルの鋸部の回転位置を固定するためのマイタロックアセンブリと
を具備しており、
前記マイタロックアセンブリが、前記テーブルに移動可能に接続されるクランプブロックと、前記テーブルに回転可能に装着されるハンドルとを包含し、
前記クランプブロックが、前記ベースアセンブリに接触する第一位置と、前記ベースアセンブリに接触しない第二位置との間で移動可能であり、前記ハンドルが、前記第二位置と前記第一位置との間で前記クランプブロックを移動する、
マイタ鋸。
【請求項２】
ロッドが、前記ハンドルと前記クランプブロックとの間に配置される、請求項1に記載のマイタ鋸。
【請求項３】
前記ハンドルが回転される時に、前記ロッドが前記第一位置の方向に前記クランプブロックを押す、請求項2に記載のマイタ鋸。
【請求項４】
前記ハンドルが回転される時に、前記ハンドルが前記ロッドに接触するカム表面を有する、請求項3に記載のマイタ鋸。
【請求項５】
前記マイタロックアセンブリが、前記第二位置の方向に前記クランプブロックを偏向するために、前記テーブルに装着されるバネをさらに包含する、請求項1に記載のマイタ鋸。
【請求項６】
マイタ鋸であって、
ベースアセンブリと、
前記ベースアセンブリに回転可能に配置される回転可能なテーブルと、
前記テーブルによって回転可能に支持される鋸部アセンブリと、
前記ベースアセンブリに対して、前記テーブルの鋸部の回転位置を固定するためのマイタ回り止めアセンブリにおいて、少なくとも一つの回り止めノッチを有する前記ベースアセンブリに装着される回り止めプレートと、前記テーブルにピボット的に装着される回り止め本体とを包含し、前記少なくとも一つの回り止めノッチに係合する第一位置と前記少なくとも一つの回り止めノッチに係合しない第二位置との間で移動可能である、マイタ回り止めアセンブリと、
前記回り止め本体を前記第一位置から前記第二位置の方向に移動するためのハンドルと、
前記第二位置に、前記ハンドルと前記回り止め本体とを移動して維持するために、前記テーブルに配置される回り止め迂回アセンブリと、
を具備する、マイタ鋸。
【請求項７】
前記回り止め本体が少なくとも一つの心棒を有する、請求項6に記載のマイタ鋸。
【請求項８】
前記少なくとも一つの心棒が少なくとも一つのベアリング内に配置される、請求項7に記載のマイタ鋸。
【請求項９】
前記少なくとも一つのベアリングが前記テーブルとプレートとの間に閉じ込められる、請求項8に記載のマイタ鋸。
【請求項１０】
前記マイタ回り止めアセンブリが、前記回り止め本体を前記第一位置の方向に偏向するために、前記テーブルと前記回り止め本体との間に配置されるバネをさらに包含する、請求項6に記載のマイタ鋸。
【請求項１１】
前記ハンドルが前記テーブルにピボット的に装着される、請求項6に記載のマイタ鋸。
【請求項１２】
前記ハンドルが前記回り止め本体に接触する、請求項11に記載のマイタ鋸。
【請求項１３】
前記回り止め迂回アセンブリが、前記ハンドルに近接して配置されるカム表面を包含し、前記カム表面が、ニュートラル位置と、前記ハンドル及び前記回り止め本体を前記第二位置の方向に移動する変位位置との間で移動可能である、請求項11に記載のマイタ鋸。
【請求項１４】
前記カム表面が、前記ニュートラル位置と前記変位位置との間で回転する、請求項13に記載のマイタ鋸。
【請求項１５】
前記カム表面が、前記ニュートラル位置と前記変位位置との間で直線的に移動する、請求項13に記載のマイタ鋸。
【請求項１６】
前記回り止め迂回アセンブリが、前記テーブルに螺合され、前記ハンドルに近接して配置されるネジくぎを包含し、前記ネジくぎが、ニュートラル位置と、前記ハンドル及び前記回り止め本体を前記第二位置の方向に移動する変位位置との間で移動可能である、請求項11に記載のマイタ鋸。
【請求項１７】
マイタ鋸であって、
上方向に延伸するほぼ環状の壁を有するベースアセンブリと、
前記ベースアセンブリに回転可能に配置される回転可能なテーブルにおいて、前記ベースアセンブリの壁に近接して配置される下方向に延伸するほぼ環状の壁を有するテーブルと、
前記テーブルによって回転可能に支持される鋸部アセンブリと、
前記ベースアセンブリ及びテーブルを通過して伸長するボルトにおいて、前記ベースアセンブリの壁と前記テーブルの壁の、少なくとも一つによって囲われるボルトと、
前記ベースアセンブリの壁と前記テーブルの壁との間に配置されるＯ−リングと、
を具備する、マイタ鋸。
【請求項１８】
前記ボルトと前記テーブルとの間に配置されるワッシャをさらに包含する、請求項17に記載のマイタ鋸。
【発明の詳細な説明】
【技術分野】
【０００１】
本発明は、概ねマイタ鋸（miter saw）用マイタセンブリ（miter assembly）に関する。
【背景技術】
【０００２】
一般的なマイタ鋸は、ベースアセンブリ、ベースアセンブリに対し回転可能なテーブル、及びモータとモータによって駆動するブレードとを含む鋸部アセンブリを有する。鋸部アセンブリは、テーブル最上面に対して傾斜した切断が可能となるように、テーブルにピボット的に装着されてもよい。
【０００３】
【特許文献１】米国特許第６８１０７８０号明細書
【発明の開示】
【発明が解決しようとする課題】
【０００４】
このようなマイタ鋸用マイタアセンブリを提供することが、本発明の目的である。
【課題を解決するための手段】
【０００５】
改良されたマイタ鋸が使用される。マイタ鋸は、好ましくはベースアセンブリ、ベースアセンブリに回転可能に配置される回転可能なテーブル、テーブルによって回転可能に支持される鋸部アセンブリ、及びベースアセンブリに対してテーブルの鋸部の回転位置を固定するためのマイタロックアセンブリを有する。
【発明を実施するための最良の形態】
【０００６】
追加の特徴と利点とが、述べられていて、添付図面と以下の詳細な記述から明らかになるだろう。
【０００７】
添付図面は、本発明の原理の実際の適用に従ってその所望される実施形態を例示する。
【０００８】
本発明は、添付図面を参照してここに述べられ、添付図面において、同一の符号が同一の部品を意味する。図1を参照して、マイタ鋸１００は、ベースアセンブリ１０、ベースアセンブリ１０によって支持されるテーブルアセンブリ１１、及びテーブルアセンブリ１１によって支持される鋸部アセンブリ２０を含んでもよい。鋸部アセンブリ２０は、テーブルアセンブリ１１に回転可能に接続される支持筐体２１、支持筐体２１にスライド可能に接続される少なくとも一つのレール２２、トラニオン２１にピボット的に装着される軸回転可能なアーム２３、及びアーム２３によって支持されブレード２５を駆動するモータ２４を含んでもよい。アーム２３は、好ましくはブレード２５の上部を覆う上部ブレードガード２６もまた支持してもよい。下部ブレードガード（示されていない）は、ブレード２５の下分を覆うために、上部ブレードガード２６にピボット的に装着されてもよい。
【０００９】
当業者は、示されたようなマイタ鋸１００が、スライドマイタ鋸であることを認識するだろう。しかしながら、マイタ鋸１００は、当該技術分野で周知のように鋸部アセンブリ２０の要素を交換することによって、スライドしないマイタ鋸であってもよい。
【００１０】
図2を参照して、ベースアセンブリ１０は、テーブルアセンブリ１１の壁１１Ｗを受容する壁１０Ｗを有してもよい。好ましくは、壁１０Ｗは単一の環状壁である。好ましくは、壁１１Ｗは、単一の環状壁である。ワッシャの又はベアリングの表面１２は、ベースアセンブリ１０とテーブルアセンブリ１１との間に配置されてもよい。
【００１１】
ボルト１５Ｂは、ベースアセンブリ１０及びテーブルアセンブリ１１を通過して伸長し、ナット１５Ｎと螺合してもよく、ベースアセンブリ１０及びテーブルアセンブリ１１を共に保持する。
【００１２】
ベースアセンブリ１０とテーブルアセンブリ１１との間の遊びを最小にするために、壁１０Ｗと壁１１Ｗとの間に少なくとも一つのＯ−リング１３を備えることが好ましい。
【００１３】
テーブルアセンブリ１１は、当該技術分野で周知であるようなカーフプレート（kerf plate）１４を備えてもよい。
【００１４】
図3を参照して、マイタロックアセンブリ３０が、ベースアセンブリ１０に対してテーブルアセンブリ１１の軸回転位置を固定するために備えられてもよい。マイタロックアセンブリは、ハンドル３１に含まれてもよい。ハンドル３１は、好ましくはテーブルアセンブリ１１のリブ１１Ｒにピボット的に装着される。ハンドル３１は、好ましくはそこに装着されるカム３１Ｃを有する。ハンドル３１が下向きに軸回転する場合に、カム３１Ｃは、好ましくはベースアセンブリ１０の方向にロッド３２を押す。
【００１５】
クランプブロック３３は、テーブルアセンブリ１１にピボット的に装着されてもよい。ロッド３２は、好ましくはハンドル３１が回転する場合に、クランプブロック３３に接触してベースアセンブリ１０に向かってクランプブロック３３を押し、従ってベースアセンブリ１０に対してテーブルを固定する。
【００１６】
バネ３４が、クランプブロック３３とテーブルアセンブリ１１のリブ１１ＳＲとの間に配置されてもよい。従って、ハンドル３１が上向きに軸回転する場合に、ロッド３２の、従ってクランプブロック３３の圧力は除去される。バネ３４は、好ましくはクランプブロック３３をベースアセンブリ１０から離すように押し、従ってテーブルアセンブリ１１はベースアセンブリ１０に対して移動することが可能になる。
【００１７】
図3から5を参照して、ベースアセンブリ１０は、好ましくはノッチ１０ＰＮを備えたベースアセンブリ１０に装着される回り止めプレート１０Ｐを有する。回り止めプレート１０Ｐは、プレート１０Ｐを貫通して伸長するボルト１０ＰＢを介してベースアセンブリ１０に螺合して装着されてもよい。
【００１８】
マイタ回り止めアセンブリ６０は、テーブルアセンブリ１１にピボット的に装着されてもよい。マイタ回り止めアセンブリ６０は、好ましくは回り止めプレート１０Ｐのノッチ１０ＰＮに係合する回り止め部分６２を備える本体６１を含む。
【００１９】
本体６１は、少なくとも一つの心棒６３を有してもよい。ベアリング６４（例えば、ボールベアリング又はニードルベアリング）は、好ましくは本体６１の心棒に圧入される。ベアリング６４は、好ましくはテーブルアセンブリ１１のポスト１１Ｐとクランププレート６５との間に閉じ込められる。クランププレート６５は、好ましくはバネ鋼から作られ、二つの角度の付いたフランジ６５Ｆを有してもよい。クランププレート６５は、クランププレート６５を通過して伸長するボルト６６を介して、テーブルアセンブリ１１に螺合して装着されてもよい。
【００２０】
当業者は、ボルト６６が回されると、好ましくは角度の付いたフランジ６５Ｆが、ベアリング６４を相互に押し付け、ベアリング６４をポスト１１Ｐの中に入れることを認識するだろう。
【００２１】
好ましくは、マイタ鋸１００は、（テーブルアセンブリ１１が、ベースアセンブリ１０に対して回転することが出来ない）ノッチ１０ＰＮと係合する第一位置、及び（テーブルアセンブリ１１が、ベースアセンブリ１０に対して回転することが可能な）ノッチ１０ＰＮと係合しない第二位置から、回り止め部分６２を移動するために回り止めを無効にするアセンブリ４０を有する。当業者は、特許文献1に記載された回り止めを無効にするアセンブリを参照し、特許文献1は、回り止めを無効にするアセンブリ４０の例として、参照によってここに完全に組込まれる。
【００２２】
回り止めを無効にするアセンブリ４０は本体４１を含んでもよく、本体４１はテーブルアセンブリ１１のリブ１１ＲＲにピボット的に装着されてもよい。本体４１は、好ましくはユーザが回り止めを無効にするアセンブリ４０を作動するために、テーブルアセンブリ１１を越えて伸長するボタン４１Ｂを有する。
【００２３】
本体４１は、第一位置と第二位置との間で回り止め６２を移動するために、本体６１に接触することが出来る部分４１Ｐを有する。この配置を用いて、ユーザがボタンを下方に押す場合に、部分４１Ｐは本体６１を持ち上げ、従って回り止めが第二の位置に移動する。
【００２４】
バネ６７は、回り止め６２を第一位置に偏向させるために、好ましくはテーブルアセンブリ１１と本体６１との間に配置される。したがって、ユーザがボタン４１Ｂを離す場合に、バネ６７は、好ましくは本体６１を下方に移動し、従って回り止めを第一位置に移動する。
【００２５】
バネ４２は、部分４１Ｐを本体６１から離すように偏向するために、テーブルアセンブリ１１と本体４１との間に配置されてもよい。実際には、この場合は、ボタン４１Ｂを上方に偏向する。
【００２６】
回り止め迂回アセンブリ５０を備えることが、好ましいかもしれない。図3と4を参照して、回り止め迂回アセンブリ５０はカム５１を含んでもよく、カム５１はテーブルアセンブリ１１のリブ１１Ｑにピボット的に装着されてもよい。カム５１は、ユーザがカム５１を回転するために、好ましくはテーブルアセンブリ１１を越えて伸長するハンドル５１Ｈを有する。
【００２７】
このような配置を用いて、ユーザはハンドル５１Ｈを回転することができ、カム５１を回転させる。このような回転は、本体４１を回転させる（従って、回り止め６２を第二位置に移動する）。好ましくは、カム５１は平面部分５１Ｆを有し、平面部分５１Ｆは回転した位置に本体４１を維持し（従って第二位置に回り止め６２を維持し）、回り止め６２と回り止めプレート１０Ｐとの間でいかなる係合も無しに、ユーザはテーブルアセンブリ１１を回転することが可能である。
【００２８】
カム５１は、好ましくはリブ１１ＲＲと部分４１Ｐとの間の本体４１の下部に配置される。しかしながら、当業者は、カム５１が本体４１の上部で、リブ１１ＲＲとボタン４１Ｂとの間に配置され、さらに第二位置に回り止め６２を移動して維持することだが出来ることを認識するだろう。
【００２９】
当業者は、ユーザがカム５１を元の位置へ回転する場合に、ばね４２及び／又は６７は、回り止め６２を第一位置に戻す、及び／又は本体４１を元の位置に戻すだろうことを認識するだろう。
【００３０】
当業者はまた、カム５１が、本体４１を回転するため及び回り止め６２を第二位置に移動するために、テーブルアセンブリ１１に螺合されるネジくぎ５３によって置換されてもよいことを認識するだろう。ネジくぎ５３は、好ましくは本体４１の上部でリブ１１ＲＲとボタン４１Ｂとの間に配置される。しかしながら、当業者は、ネジくぎ５３が、リブ１１ＲＲと部分４１Ｐとの間の本体４１の下部に配置され、さらに回り止め６２を第二の位置に移動して維持することが出来ることを認識するだろう。
【００３１】
当業者は、ここで開示した手段にその他の追加又は代替を認識するかもしれない。しかしながら、これらの追加及び／又は代替の全てが、本発明に相当するものとみなされる。
【図面の簡単な説明】
【００３２】
【図１】図1は、本発明に従う例示的なマイタ鋸の側面図である。
【図２】図2は、図1の矢視II-IIに沿った断面側面図である。
【図３】図3は、図1の矢視III-IIIに沿った部分断面図である。
【図４】図4は、図3の矢視IV-IVに沿った部分断面図である。
【図５Ａ】図5Aは、マイタ回り止めアセンブリを例示する、斜視図である。
【図５Ｂ】図5Bは、マイタ回り止めアセンブリを例示する、図4の矢視Ｖ-Ｖに沿った部分断面図である。
【図６Ａ】図6Aは、回り止めを無効にするアセンブリを例示する、部分断面図である。
【図６Ｂ】図6Bは、回り止めを無効にするアセンブリを例示する、図6Aの矢視VI-VIに沿った部分断面図である。
【符号の説明】
【００３３】
１０    ベースアセンブリ
１１    テーブルアセンブリ
２０    鋸部アセンブリ
２１    支持筐体
２５    ブレード
３０    マイタロックアセンブリ
４０    回り止めを無効にするアセンブリ
５０    回り止め迂回アセンブリ
６０    マイタ回り止めアセンブリ
１００    マイタ鋸
【図１】
2006312317.tif 000003
【図２】
2006312317.tif 000004
【図３】
2006312317.tif 000005
【図４】
2006312317.tif 000006
【図５Ａ】
2006312317.tif 000007
【図５Ｂ】
2006312317.tif 000008
【図６Ａ】
2006312317.tif 000009
【図６Ｂ】
2006312317.tif 000010
【外国語明細書】
2006312317000001.pdf